(57)【特許請求の範囲】
【請求項１】
同一形態の紙葉類収納ケース内に収納された紙葉類を１枚ずつ送り出す繰出装置と、前記送り出された紙葉類を区分コードに従って分類して対応する区分口に配置された前記同一形態の紙葉類収納ケース内に収納する区分収納装置とを備えた紙葉類分類区分装置であって、
前記同一形態の紙葉類収納ケースが、紙葉類と共に上下方向に移動可能な押し上げ板を底面に備え、前記繰出装置が、前記押上げ板を前記ケースの上面まで押し上げる押上機構と、前記押し上げられた紙葉類を１枚ずつ分離して繰り出す繰出機構と、前記紙葉類を搬送する搬送機構とを備えた紙葉類分類区分装置。
【請求項２】
前記紙葉類に管理コードが記載されている場合には、前記コード読み取り手段が前記管理コードを読み取り、前記読み取った管理コードを前記同一形態の紙葉類収納ケースに装着された電子記録手段に書き込む手段を備えた請求項１に記載の紙葉類分類区分装置。
【請求項３】
前記区分収納装置が、前記区分コード対応する１つの区分口に、前記同一形態の紙葉類収納ケースを収容可能な複数の区画を有するケース区分給排部を備えたことを特徴とする請求項１に記載の紙葉類分類区分装置。
【請求項４】
前記ケース区分給排部が、後方を下向きに傾斜して配置され、前記ケース区分給排部の前面に前記紙葉類搬送機構が配置されていることを特徴とする請求項３に記載の紙葉類分類区分装置。
【請求項５】
前記区分収納装置が螺旋状に構成されていることを特徴とする請求項１から請求項４のいずれかに記載の紙葉類分類区分装置。
【発明の詳細な説明】
【０００１】
【発明の属する技術分野】
本発明は、郵便物・宅配便などの受託物品配送業などにおける封書等受託物品の宛先毎の分類区分や搬送、輸送等の処理を行う紙葉類集配システムおよび紙葉類分類区分装置に関するものである。
【０００２】
【従来の技術】
従来、封書等の宛先毎の分類区分において、封書等に付与されたコードを読み取って分類区分を行う紙葉類分類区分装置が用いられているが、封書等の処理対象物を直接に分類装置に供給し、分類区分口毎に区分して投函された封書等の処理対象物を手作業あるいはその他の方法で分類区分口から取り出し、搬送用郵袋や搬送用収納ケースに収納して搬送するようにしている。また、従来の紙葉封書等の分類区分処理には、多種の自動分類区分装置が用いられているが、各種自動分類区分装置への紙葉封書等の区分処理対象物の供給作業は人手によって行なわれている。また、配達道順組立て作業の自動化の場合は、非常に多数の分類口数が必要となり装置が大型化する。その解決策として、分類区分集積口数の少ない小型装置でも多数の分類区分集積口を備えたものと同じ効果を持たせることのできる基数ソート法が用いられ、複数回数の分類区分処理を行うことにより、装置が備えている分類区分集積口数の冪乗の分類分集積口数の備えたと同等の効果が得られるようにしている。このため、処理を複数回行なうために、前回の分類区分集積口から紙葉類を回収し、再度分類区分装置に投入している。
【０００３】
【発明が解決しようとする課題】
このように、従来の紙葉類分類区分作業では、紙葉封書等の分類区分装置等への対象物の供給、取り出し、搬送、他の局や営業所等への分別配送、その他の業務が作業者による手作業で行われ、全体の作業の自動化がされていないのが現状である。また、基数ソート法を用いない通常の自動分類区分装置の場合においても、多数区分口の羅列のために長大な装置となってしまい、広大な設置スペースを要し、また、長い搬送ベルト駆動のために大出力の電動モーターを使用する必要があるので、電力消費が多く、対象物の搬送による紙埃の発生という問題もあった。
【０００４】
本発明は、このような従来の問題を解決するものであり、紙葉類分類区分作業の全体を省力化、自動化処理できるとともに、省スペース化を可能とした紙葉類集配システムおよび紙葉類分類区分装置を提供することを目的とする。
【００１１】
【課題を解決するための手段】
上記目的を達成するために、本発明の紙葉類分類区分装置は、同一形態の紙葉類収納ケース内に収納された紙葉類を１枚ずつ送り出す繰出装置と、前記送り出された紙葉類を区分コードに従って分類して対応する区分口に配置された前記同一形態の紙葉類収納ケース内に収納する区分収納装置とを備えた紙葉類分類区分装置であって、前記同一形態の紙葉類収納ケースが、紙葉類と共に上下方向に移動可能な押し上げ板を底面に備え、前記繰出装置が、前記押上げ板を前記ケースの上面まで押し上げる押上機構と、前記押し上げられた紙葉類を１枚ずつ分離して繰り出す繰出機構と、前記紙葉類を搬送する搬送機構とを備えたものである。この構成により、収納ケースに収容した紙葉類の分類および分類した紙葉類を所定の紙葉類収納ケース内へ区分収納する作業を、紙葉類収納ケースを移動させるだけで自動的に行うことができるとともに、紙葉類収納ケースに収納された紙葉類を１枚ずつ確実に分離して搬送することができる。
【００１４】
また、本発明の紙葉類分類区分装置は、前記紙葉類に管理コードが記載されている場合には、前記コード読み取り手段が前記管理コードを読み取り、前記読み取った管理コードを前記同一形態の紙葉類収納ケースに装着された電子記録手段に書き込む手段を備えたものである。この構成により、ケース内に収納された紙葉類に関する情報を記録して外部から確認することができる。
【００１６】
また、本発明の紙葉類分類区分装置は、前記区分収納装置が、前記区分コード対応する１つの区分口に、前記同一形態の紙葉類収納ケースを収容可能な複数の区画を有するケース区分給排部を備えたことを特徴とするものである。この構成により、紙葉類の分類区分処理を連続的に行うことができる。
【００２０】
また、本発明の紙葉類分類区分装置は、前記ケース区分給排部が、後方を下向きに傾斜して配置され、前記ケース区分給排部の前面に前記紙葉類搬送機構が配置されていることを特徴とするものである。この構成により、区分処理された紙葉類を紙葉類収納ケース内に順序よく収納することができる。
【００２３】
また、本発明の紙葉類分類区分装置は、前記区分収納装置が螺旋状に構成されていることを特徴とするものである。この構成により、全ての区分口および紙葉類搬送機構が連続配置されるので、紙葉類を分配するための区分分岐処理部および紙葉類収納ケースの上下搬送用の昇降部も不要となり、装置を一層コンパクトに単純化することができる。
【００２９】
【発明の実施の形態】
以下、本発明の実施の形態について図面を参照して説明する。なお、以下の説明では、紙葉類を定形郵便物として説明する。
（実施の形態１）
図１は本発明の実施の形態１における紙葉類集配システムの概略構成を示している。紙葉類を図１において、取集員２０１が郵便ポスト２０２や受付局・受付店舗２０３等で配達依託された紙葉類を取り集めて紙葉類収納ケース１０１に収納し、取集便トラック２０４に積載して配送営業所２０５へ運搬する。配送営業所２０５では、紙葉類収納ケース１０１を搬入コンベア２０６に載せると、紙葉類収納ケース１０１が配送区分装置２０７に取り込まれて、紙葉類が紙葉類収納ケース１０１から送り出され、分類区分部で配送先毎に自動分類区分されて、再び空の紙葉類収納ケース１０１に投函されることによって、分類区分済の紙葉類として紙葉類収納ケース１０１に収納される。分類区分終了後には、紙葉類収納ケース１０１は配送区分装置２０７から搬出されて、送出コンベア２０８経由で配送便トラック２０９に積載され、数局の配送局を経過して配達営業所２１０に到達する。配達営業所２１０では、配送便トラック２０９に積載されていた紙葉類収納ケース１０１が搬入コンベア２１１に載せられると、配達区分・道順組立装置２１２に取り込まれて、紙葉類収納ケース１０１内の紙葉類が配達先毎に分類区分され、再び空の紙葉類収納ケース１０１に投函されることによって、分類区分済の紙葉類として紙葉類収納ケース１０１に収納される。分類区分終了後、紙葉類収納ケース１０１は配達区分・道順組立装置２１２から送出されて送出コンベア２１３経由で配達員２１４に引き継がれ、配達便バイク２１５に積載されて配達先宅２１６まで搬送され、配達先宅２１６で配達員２１４が紙葉類収納ケース１０１から必要な紙葉類を取り出して配達先宅２１６に配達することになる。このように、紙葉類収納ケース１０１をシステム全般に渡って使用することにより、配送区分装置２０７や配達区分・道順組立装置２０２での自動処理が可能な紙葉類集配システムを構築することができる。
【００３０】
なお、郵便ポスト２０２の内部に紙葉類収納ケース１０１を所定の向きに配置し、郵便ポスト２０２の投函口から投函された紙葉類が紙葉類収納ケース１０１内にきちんと整列されるように、紙葉類の表裏および左右の向きを揃えるように注意書きを添えるとよい。あるいは、ランダムに投入された紙葉類をきちんと向きを揃えて整列させる装置を郵便ポスト２０２内に設けてもよい。
【００３１】
図２は配送営業所２０５の具体例を示している。図２において、ケースストック装置２１７は、搬送コンベア２１８を通じて配送区分装置２０７に接続されており、紙葉類収納ケース１０１の供給、取込み等の工程において一時滞留ストックを要する場合の対応を行うための装置であり、搬入された未区分のもの、送出時の一時待機、空の紙葉類収納ケース等の保管と供給等を行う。図３は配達営業所２１０の具体例を示しており、同様にケースストック装置２１９および配達区分装置２１２に通じる搬送コンベア２２０を備えている。
【００３２】
図４は本システムに使用する紙葉類収納ケース１０１を示している。図４において、紙葉類収納ケース１０１は、上面を開放した長方形のケース１０２と、ケース１０２の一端面１０２ａに設けられた投函口１０３と、投函口１０３を開閉可能に設けられた扉１０４と、ケース１０２内に紙葉類１００を整列して保持するための保持手段である押え板１０５と、ケース１０１の底面内側に配置されて、紙葉類１００が載せられて上下方向に移動可能な押し上げ板１０６とを備えている。ケース１０２は樹脂製であり、郵便物の定型寸法を基にメーカが制定した規格により全てが同一の大きさに形成される。投函口１０３は、収容すべき紙葉類１００を横長に定置した場合の丈寸法（紙葉類１００の長手方向を横切る方向の幅寸法）よりも大きく、紙葉類１００がこの投函口１０３から横長方向に挿入可能になっている。扉１０４は、図５に示すように、ケース１０２の一端面１０２ａとその内側に配置された扉保持板１０７とに挟まれて横方向に摺動可能であり、前端部には取っ手１０４ａが設けられている。また、押え板１０５は、図６に示すように、ブックエンド型のもので、その下部両側には前方に向けた足部１０５ａを有し、この足部１０５ａが押し上げ板１０６のガイドレール１０６ａの両側凹部を板ばね１０８を介して挟持している。したがって、押え板１０５は、板ばね１０８により所定の摩擦力を付与されて仮固定されるとともに長手方向に移動可能になり、ケース１０２内に一定量以上の紙葉類１００が溜まると、その重力により自動的に移動して、紙葉類１００を整列した状態に保持する。また、図１３に示す紙葉類分類区分装置の区分口に（図１７に示す区分口５０８ａと同様）、押え板１０５を移動させる機構をこの紙葉類分類区分装置に設け、紙葉類が倒れないように移動させてもよい。押し上げ板１０６は、ケース１０２の底面よりも少し小さい寸法を有し、紙葉類１００が後方に傾斜して押え板１０５に寄りかかるように後方に向けて傾斜している。また、持ち上げられた時に傾かないように、前後左右にガイド片１０６ｂ、１０６ｃ、１０６ｄ、１０６ｅを有する。そして、ケース１０２の底面には、この押し上げ板１０６を押し上げるための後述する押上機構のロッドを挿入する逃げ穴１０９が前後に２つ形成されている。
【００３３】
図７は紙葉類収納ケース１０１に天蓋１１０を設けた例である。ケース１０２の開放面全体を覆うように縁付きの天蓋１１０を被せることにより、紙葉類の取り集め後の搬送時、区分装置による区分終了後の配送、或いは配達などにおける搬送時に、内部に収容された紙葉類１００の飛び出しを防止できるので、紙葉類収納ケース１０１の搬送を容易に行うことができる。
【００３４】
図８は紙葉類収納ケース１０１の扉１０４を閉めて投函口１０３を閉じた後、取っ手１０４ａの部分を止め具１１１によりケース１０２に封緘した例である。図９はさらに紙葉類収納ケース１０１の天蓋１１０の縁１１０ａの部分を止め具１１１によりケース１０２に封緘した例である。図１０はこの止め具１１１を用いた封緘の方法を示している。樹脂製の止め具１１１は、扁平なボタン部１１１ａと胴部１１１ｂと先端部の弾性を有する二股のフック１１１ｃ、１１１ｄを備えている。このような止め具１１１を扉１０４（または天蓋１１０）の取付穴１１２およびケース１０２の取付穴１１３に封緘機ヘッド１１４により押し込むことにより、先端部の弾性フック１１１ｃ、１１１ｄが取付穴１１２、１１３内を閉じて進み、取付穴１１３から出たところで開くので、抜け止めが施される。このように、止め具１１１により扉１０４および天蓋１１０をケース１０２に封緘することにより、ケース１０２内に収納された紙葉類のセキュリティを確保することができる。天蓋１１０および扉１０４を開ける時は、止め具１１１のボタン部１１１ａをニッパー等により切断した後、残った部分をケース１０２内に押し込むことにより、天蓋１１０および蓋１０４を開放することができる。なお、図１１に示すように、止め具１１１のボタン部１１１ａに対し、封緘機ヘッド１１４から超音波振動を加えることによって、封緘の取扱コードや日時などの封緘証拠を刻印することができ、取り扱い上のセキュリティ保持に役立てることができる。
【００３５】
図１２は紙葉類収納ケース１０１の別の例を示し、紙葉類収納ケース１０１内に収納された紙葉類１００に関する情報をケース１０２の表面に記録するために、電子記録手段であるＲＦＩＤ(Radio Frequency Identification)タグ１１５が、ケース１０２の一端面１０２ａに貼着されている。このようなＲＦＩＤタグ１１５を紙葉類収納ケース１０１に設けることにより、ケース１０２内部の紙葉類１００に関する情報を記録して外部から確認することができる。
【００３６】
図１３は本実施の形態における紙葉類分類区分装置の概略構成を示しており、図２の配送区分装置２０７および図３の配達区分装置２１２に適用される。図１３において、繰出装置３００は、紙葉類収納ケース１０１内に収納された紙葉類１００を１枚ずつ送り出すための装置であり、紙葉類収納ケース１０１内の押し上げ板１０６を紙葉類収納ケース１０１の上面まで押し上げる押上機構３０１と、押し上げられた紙葉類を１枚ずつ分離して送り出す繰出機構３１１と、送り出された紙葉類を区分収納装置４００へ搬送する搬送機構３２１とを備えている。区分収納装置４００は、送り出された紙葉類を区分コードに従って分類して対応する区分口に配置された空の紙葉類収納ケース内１０１に収納する装置であり、紙葉類１００に記載された宛先区分コードおよび管理コードを光学的に読み取るコード読取部４０１とコンピュータによる制御部４０２と、紙葉類を搬送する紙葉類搬送機構４１１と、紙葉類を読み取った区分コードに従って対応する各区分口に配置された紙葉類収納ケース１０１内に投函する紙葉類分離機構４２１と、管理コードを紙葉類収納ケース１０１に貼着したＲＦＩＤタグ１１５に書き込むためのＲＦＩＤ記録部４３１とを備えている。なお、コード読取部４０１は、ＲＦＩＤを用いて、紙葉類に付されたＥ情報を読み取ることとしてもよい。
【００３７】
この紙葉類分類区分装置の動作について説明する。内部に紙葉類を収納した紙葉類収納ケース１０１が所定位置にセットされると、繰出装置３００の押上機構３０１により、紙葉類収納ケース１０１内の押し上げ板１０６が紙葉類収納ケース１０１の上面まで押し上げられ、押し上げられた紙葉類は繰出機構３１１により１枚ずつ分離して送り出され、搬送機構３２１により区分収納装置４００へ搬送される。区分収納装置４００では、搬送されてきた紙葉類に記載された区分コードをコード読取部４０１により読み取り、紙葉類搬送機構４１１により紙葉類が搬送されている間に、読み取った区分コードを基に制御部４０２からの制御信号により紙葉類分離機構４２１が作動して、各区分コード毎に区分口に配置された空の紙葉類収納ケース１０１に該当する紙葉類を投函する。空の紙葉類収納ケース１０１は、投函された紙葉類が押え板１０５に順番に集積されるように、後方を下に傾けて配置されており、押え板１０５に一定量の紙葉類が集積されると、その自重により押え板１０５が後退する。紙葉類１００に管理コードが記載されている場合には、その管理コードをコード読取部４０１が読み取り、その管理コードを紙葉類収納ケース１０１に貼着されたＲＦＩＤタグ１１５に書き込む。
【００３８】
図１４は上記した繰出装置３００の構成を示している。押上機構３０１は、紙葉類収納ケース１０１の底部に設けられた押し上げ板１０６を押し上げるエアシリンダに接続された２本の押し上げロッド３０２と、押し上げロッド３０２により押し上げられた押し上げ板１０６上の紙葉類１００を両側から掬い取る左ガイド板３０３および右ガイド板３０４とを備えている。左右のガイド板３０３、３０４は、それぞれ下端部に内側に向いた折曲片３０３ａ、３０４ａを有し、図示されないエアシリンダに接続されて左右の互いに反対方向に移動可能である。繰出機構３１１は、押え板１０５に保持された紙葉類１００を前方に押し出す押し出し板３１２と、最前部の紙葉類１００を繰り出す繰り出しベルト３１３と、紙葉類１００の２重送りを防止するためのリタードローラ３１４を備えている。押し出し板３１２は、その中央部に下部に向けてＬ字形の押し出し片３１２ａを備えており、押し出し片３１２ａは、押え板１０５の中央部の凹んでいる部分に位置している。搬送機構３２１は、互いに接触して同方向に移動する一対の搬送ベルト３２２、３２３を備えている。
【００３９】
この繰出装置の動作を図１４および図１５を用いて説明する。押し上げロッド３０２が、紙葉類収納ケース１０１の底部に設けられた逃げ穴１０９から上昇して押し上げ板１０６を紙葉類収納ケース１０１の上面まで押し上げると、左右のガイド板３０３、３０４が内側に移動し、下部の折曲片３０３ａ、３０４ａが紙葉類１００の下に潜り込む。次いで、押し上げロッド３０２が下降すると、押し上げ板１０６が自重により下降し、紙葉類１００は、左右のガイド板３０３、３０４の折曲片３０３ａ、３０４ａに保持されて、空中で待機状態となる。次に、押し出し板３１２が前方に移動して、押し出し片３１２ａが紙葉類１００を前方に押し出すので、紙葉類１００のうちの最前の紙葉類が、繰り出しベルト３１３に接触して右方向に送り出される。この時に２枚の紙葉類が同時に送り出された場合には、下側の紙葉類が逆回転するリタードローラ３１３により進行を阻止されるので、上側の紙葉類のみが繰り出しベルト３１３により繰り出される。繰り出された紙葉類は、一対の搬送ベルト３２２、３２３に挟まれて区分収納装置４００へ搬送される。各部の動作タイミングは、制御部４０２からの制御信号により制御される。
【００４０】
図１６は区分収納装置４００の紙葉類搬送機構４１１と紙葉類分離機構４２１の構成を示している。紙葉類搬送機構４１１は、一続きの長尺ベルト４１２と、この長尺ベルト４１２に対向して各区分口に配置された短尺ベルト４１３とを備える。紙葉類分離機構４２１は、短尺ベルト４１３に連続する可動ベルト４２２とこの可動ベルト４２２と同期して動作する分離用フラッパー４２３とを有する。動作について説明すると、長尺ベルト４１２と短尺ベルト４１３とに挟まれて搬送されてきた紙葉類１００は、区分コードに従って区分されるべき区分口に到達すると、制御信号により可動ベルト４２２および分離用フラッパー４２３が鎖線の位置から実線の位置に回動するので、区分口に待機する紙葉類収納ケース１０１の扉１０４が開いた投函口１０３から紙葉類収納ケース１０１内に投函される。投函が終了すると、制御信号により可動ベルト４２２および分離用フラッパー４２３が実線の位置から鎖線の位置まで戻るので、投函を必要としない紙葉類１００は、長尺ベルト４１２と短尺ベルト４１３に挟まれてそのまま該当する区分口まで搬送される。
【００４１】
このように、本実施の形態１によれば、同一形態の紙葉類収納ケースを用いることにより、紙葉類の取集処理および取集した紙葉類の紙葉類分類区分装置による区分処理および区分した紙葉類の配送・配達処理等の全ての作業を、紙葉類収納ケースを移動させるだけで自動的に行うことができる。また、紙葉類収納ケースに装着したＲＦＩＤタグに管理コードを書き込むことにより、従来行われていた送達証の代替えとなる処理を自動的に行うことができる。
【００４２】
（実施の形態２）
図１７は本発明の実施の形態２における紙葉類分類区分装置の構成を示しており、図１３に示した構成を基本としている。図１７は平面図、図１８はその正面図、図１９はその側面図を示している。紙葉類分類区分装置５００は、上段の未区分紙葉類収納ケースのためのケース搬入装置５０１および下段の区分済紙葉類収納ケースのためのケース搬出装置５０２を有する。搬入装置５０１の横には、上記した繰出装置３００が配置された紙葉類取出部５０３が配置され、その奥側にはケース昇降部５０４が配置されている。ケース昇降部５０４の左横にはケース排出部５０５、右横には空ケース給送部５０６、ケース昇降部５０７、ケース区分給排部５０８が連続して配置されている。ケース区分給排部５０８は、区分コードに対応した数だけ設けられた区分口５０８ａに空ケースを供給するとともに、区分済のケースを排出するものである。
【００４３】
ケース区分給排部５０８は、図２０（ｃ）に示すように、上下に２段の区画を前後に備えた計４つの区画Ａ、Ｂ、Ｃ、Ｄを上層５０８ａと下層５０８ｂとに２層重ねたものである。ケース区分給排部５０８の区画Ｃ、Ｄには、図１７に示すように、横方向に連続する搬送ローラにより構成された空ケース供給路５０９が設けられ、区画Ｂには同様に横方向に連続する搬送ローラにより構成された区分済ケース回収路５１０が設けら、各区画Ａ、Ｂ、Ｃ、Ｄは、前後の区画を連結する搬送ローラと上下の区画を連結するリフトにより構成されたケース循環路５１１により連結されている。また、ケース区分給排部５０８の前面には上記した紙葉類搬送機構４１１および各区画Ａに対向して紙葉類分離機構４２１が設けられている。区分済ケース回収路５１０の終点には区分済ケース排出部５１２が配置され、紙葉類取出部５０３の下部からケース昇降部５０４に連続している。図１９に示すように、ケース搬入装置５０１、ケース搬出装置５０２およびケース排出部５０５以外は、紙葉類収納ケース１０１内の紙葉類が内部で後方に集積されるように、全てベッド５１３上に後方が下がるように傾斜して設けられている。
【００４４】
次に、この紙葉類分類区分装置の動作について説明する。まず準備作業として、図２および図３のケースストック装置２１７、２１９から空の紙葉類収納ケース１０１が、ケース搬入装置５０１を通じて紙葉類分類区分装置５００内に搬入される。装置内に搬入された空の紙葉類収納ケース１０１は、空ケース給送部５０６および空ケース供給路５０９を通じてケース区分給排部５０８における区画Ｄを除いた全ての区画Ａ、Ｂ、Ｃに供給される。次に本作業に入り、ケース搬入装置５０１から未区分の紙葉類が収容された紙葉類収納ケース１０１が搬入されて、紙葉類取出部５０３において、上記した繰出装置３００により紙葉類が押上機構３０１および繰出機構３１１により取り出され、空になった紙葉類収納ケース（空ケース）１０１は、ケース昇降部５０４まで押し出され、ケース排出部５０５からケース排出装置５０２により装置外に排出される。操出装置３００により１枚ずつ繰り出された紙葉類は、区分収納装置４００のコード読取部４０１により区分コードが読み取られ、制御部４０２がその区分コードに従って対応する紙葉類分離機構４２１の分離用フラッパーを作動して、該当する区分口の区画Ａに配置された紙葉類収納ケース１０１にその紙葉類を投函する。紙葉類収納ケース１０１に所定量の紙葉類が収納されると、制御部４０２からの制御信号によりその区分口のケース循環路５１１が次のように動作する。図２１において、まず、区分Ｃの空きケース１０１が空きスペースの区分Ｄに移動し▲１▼、次いで空きスペースとなった区分Ｃに区分Ｂの空きケース１０１が移動し▲２▼、次いで空きスペースとなった区分Ｂに区分Ａの区分済ケース１０１が移動し▲３▼、次いで空きスペースとなった区分Ａに区分Ｄの空きケースが移動して▲４▼、区分Ｄが再び空きスペースとなる。そして、区分Ｂに移動した区部済の紙葉類収納ケース１０１は、区分済ケース回収路５１０を通って区分済ケース排出部５１２から紙葉類取出部５０３の下部に入り、そこからケース昇降部５０４により上昇してケース排出部５０５からケース搬出装置５０２を通って装置外に排出される。一方、図２１の空きスペースとなった区分Ｂには区分Ｃの空ケースが移動し▲５▼、空きスペースとなった区分Ｃには空ケース供給路５０９を通って空ケースが供給される。
【００４５】
このように、本実施の形態２による紙葉類分類区分装置によれば、ケース搬入装置５０１から搬入された紙葉類収納ケース１０１内の未区分の紙葉類は、操出装置３００により１枚ずつ分離されて送り出され、コード読取部４０１により読み取られた区分コードに従って各区分口に配置された空の紙葉類収納ケース１０１内に収容される。そして、区分済の紙葉類を収納した紙葉類収納ケース１０１は、再びケース搬出装置５０２から紙葉類分類区分装置５００の外に排出され、搬入から搬出までの全工程が紙葉類収納ケース１０１を移動させるだけで全て自動的に行われる。なお、処理量が多い場合は、図１８に示すように、ケース区分給排部５０８のうちの上層のケース区分給排部５０８Ａのみならず、紙葉類分岐処理部５１４により下層のケース区分給排部５０８Ｂを使用する。
【００４６】
（実施の形態３）
図２２は本発明の実施の形態３における紙葉類分類区分装置６００の構成を示しており、基本的な構成は実施の形態１と同様である。ケース区分給排部６０８は、１つの区分口６０８ａに対し、上下前後に２段ずつの計４つの区画が上層６０８Ａと下層６０８Ｂの２層に配置されたフレームによるユニット構造になっている。したがって、ベッド６１３上にこのユニットを必要な数だけ連結させることにより容易に増減が可能になっている。なお、隣接する複数の区分口６０８ａをまとめて１つのユニットに構成してもよい。
【００４７】
ケース搬入装置６０１により搬入された空の紙葉類収納ケース１０１は、ケース昇降部６０４により下方に降下され、それぞれ空ケース給送部６０６からケース区分配給部６０８の各区分口６０８ａに給送される。ケース区分給排部６０８は、図２３に示すように、紙葉類分離機構４２１が配置された１つの区分口に対し、上下前後に２段ずつの計４つの区画Ａ、Ｂ、Ｃ、Ｄがフレームにより構成され、前部の区画Ｂおよび後部の区画Ｄには横方向に連続する搬送ローラにより構成された空ケース供給路６０９が設けられ、後部の区画Ｃには同様に横方向に連続する搬送ローラにより構成された区分済ケース回収路６１０が設けら、各区画Ａ、Ｂ、Ｃ、Ｄは、前後の区画を連結する搬送ローラと上下の区画を連結するリフトにより構成されたケース循環路６１１により連結されている。そして、区画Ｂを除く区画Ｃ、Ｄ、Ａには、空ケース供給路６０９により空の紙葉類収納ケース１０１が供給される。
【００４８】
ケース搬入装置６０１により装置内に搬入された未区分の紙葉類収納ケース１０１は、紙葉類取出部６０３において操出装置３００により紙葉類が１枚ずつ繰り出され、区分収納装置４００のコード読取部４０１により区分コードが読み取られ、制御部４０２がその区分コードに従って対応する紙葉類分離機構４２１の分離用フラッパーを作動して、該当する区分口の紙葉類収納ケース１０１にその紙葉類を投函する。紙葉類収納ケース１０１に所定量の紙葉類が収納されると、制御部４０２からの制御信号によりケース循環路６１１が動作して、図２３に示すように、まず、区画Ａ内の区分済の紙葉類収納ケース１０１が空きスペースの区分Ｂに移動し▲１▼、次いで空きスペースとなった区分Ａに区分Ｄの空きケース１０１が移動して▲２▼、区分済の紙葉類の収納を直ちに継続する。次いで空きスペースとなった区分Ｄに区分Ｃの区分済ケース１０１が移動し▲３▼、次いで空きスペースとなった区分Ｃに区分Ｂの区分済紙葉類収納ケース１０１が移動し▲４▼、区分Ｂが再び空きスペースとなる。そして、区分Ｃに移動した区部済の紙葉類収納ケース１０１は、区分済ケース回収路６１０を通って区分済ケース排出部６１２から紙葉類取出部６０３の下部に入り、そこからケース搬出装置６０２を通って装置外に排出される。一方、図２３の空きスペースとなった区分Ｃには、空ケース給送部６０６および空ケース給送路６０９を通って区画Ｂから空ケースが供給され、区画Ｂは再び空きスペースとなる。
【００４９】
このように、本実施の形態３によれば、ケース区分給排部６０８が、全体がフレームによるユニット構造になっているので、ユニットを既存のケース区分給排部６０８に着脱することにより、装置規模を容易に増減することができ、処理量に柔軟に対応することができる。
【００５０】
（実施の形態４）
図２４は本発明の実施の形態４における紙葉類分類区分装置７００の構成を示している。装置全体の構成は実施の形態２および３と同様である。異なるのは、ケース区分給排部７０８が、１つの区分口に対して、前部、中部、後部に２段ずつの計６つの区画が上層と下層の２層に配置されたフレームによるユニット構造になっていることである。ケース搬入装置７０１により搬入された空の紙葉類収納ケース１０１は、ケース昇降部７０４を通って、空ケース給送部７０６からケース昇降部７０７により適宜上下に振り分けられ、空ケース供給路７０９を通ってそれぞれケース区分配給部７０８の各区分口７０８ａに給送される。ケース区分給排部７０８は、図２５に示すように、紙葉類分離機構４２１が配置された１つの区分口７０８ａに対し、前部、中部、後部に２段ずつの計６つの区画Ａ、Ｂ、Ｃ、Ｄ、Ｅ、Ｆがフレームにより構成され、中部の区画Ｅ、Ｂおよび後部の区画Ｄ、Ｃには横方向に連続する搬送ローラにより構成された空ケース供給路７０９が設けられ、前部の区画Ａには同様に横方向に連続する搬送ローラにより構成された区分済ケース回収路７１０が設けら、各区画Ａ、Ｂ、Ｃ、Ｄ、Ｅ、Ｆは、前、中、後の区画を連結する搬送ローラと上下の区画を連結するリフトにより構成されたケース循環路７１１により連結されている。そして、区画Ｂを除く区画Ｃ、Ｄ、Ｅ、Ｆ、Ａには、空ケース供給路７０９により空の紙葉類収納ケース１０１が供給される。
【００５１】
ケース搬入装置７０１により搬入された未区分の紙葉類収納ケース１０１は、紙葉類取出部７０３において操出装置３００により紙葉類が１枚ずつ繰り出され、区分収納装置４００のコード読取部４０１により区分コードが読み取られ、制御部４０２がその区分コードに従って対応する紙葉類分離機構４２１の分離用フラッパーを作動して、該当する区分口の紙葉類収納ケース１０１にその紙葉類を投函する。紙葉類収納ケース１０１に所定量の紙葉類が収納されると、制御部４０２からの制御信号によりケース循環路７１１が動作して、図２５に示すように、まず、区画Ａ内の区分済の紙葉類収納ケース１０１が空きスペースの区分Ｂに移動し▲１▼、次いで空きスペースとなった区分Ａに区分Ｆの空きケース１０１が移動して▲２▼、区分された紙葉類の収納を直ちに継続する。その間に、空きスペースとなった区分Ｆに区分Ｅの区分済ケース１０１が移動し▲３▼、次いで空きスペースとなった区分Ｅに区分Ｄの区分済紙葉類収納ケース１０１が移動し▲４▼、次いで空きスペースとなった区分Ｄに区分Ｃの区分済ケース１０１が移動し▲５▼、次いで空きスペースとなった区分Ｃに区分Ｂの区分済紙葉類収納ケース１０１が移動し▲６▼、区分Ｂが再び空きスペースとなる。このような循環移動が、区分Ａの紙葉類収納ケース１０１に所定量の紙葉類が集積される毎にケース循環路７１１を介して行われる。そして、最初に区分された紙葉類収納ケース１０１が区分Ｆに到達すると、すなわち５個の紙葉類収納ケース１０１に全て区分済の紙葉類が集積されると、区分Ｆから順番に区分済ケース回収路７１０を通ってケース排出部７１２に至り、ケース排出部７１２から紙葉類取出部７０３の下部に入り、そこからケース搬出装置７０２を通って装置外に排出される。全ての区分済紙葉類収納ケース１０１の搬出が終了すると、再び空ケースがケース区分給排部７０８に供給される。
【００５２】
このように、本実施の形態４の紙葉類分類区分装置によれば、一区分口当り最大５個の紙葉類収納ケース１０１に対して分類区分が可能となり、大量の紙葉類を迅速に処理することができる。
【００５３】
（実施の形態５）
図２６は本発明の実施の形態５における紙葉類分類区分装置８００の構成を示している。装置全体の構成は実施の形態２および３と同様である。異なるのは、ケース区分給排部８０８が、１つの区分口に対して、前後に３段ずつの計６つの区画が上層と下層の２層に配置されたフレームによるユニット構造になっていることである。ケース搬入装置８０１により搬入された空の紙葉類収納ケース１０１は、ケース昇降部８０４を通って、空ケース給送部８０６からケース昇降部８０７により適宜上下に振り分けられ、空ケース供給路８０９を通ってそれぞれケース区分配給部８０８の各区分口８０８ａに給送される。ケース区分給排部８０８は、図２７に示すように、紙葉類分離機構４２１が配置された１つの区分口８０８ａに対し、前後に３段ずつの計６つの区画Ａ、Ｂ、Ｃ、Ｄ、Ｅ、Ｆがフレームにより構成され、後部の区画Ｅ、Ｄ、Ｃには横方向に連続する搬送ローラにより構成された空ケース供給路８０９が設けられ、前部の区画Ａには同様に横方向に連続する搬送ローラにより構成された区分済ケース回収路８１０が設けら、各区画Ａ、Ｂ、Ｃ、Ｄ、Ｅ、Ｆは、前後の区画を連結する搬送ローラと上下の区画を連結するリフトにより構成されたケース循環路８１１により連結されている。そして、区画Ｂを除く区画Ｃ、Ｄ、Ｅ、Ｆ、Ａには、空ケース供給路８０９により空ケース１０１が供給される。
【００５４】
ケース搬入装置８０１により搬入された未区分の紙葉類収納ケース１０１は、紙葉類取出部８０３において操出装置３００により紙葉類が１枚ずつ繰り出され、区分収納装置４００のコード読取部４０１により区分コードが読み取られ、制御部４０２がその区分コードに従って対応する紙葉類分離機構４２１の分離用フラッパーを作動して、該当する区分口の紙葉類収納ケース１０１にその紙葉類を投函する。紙葉類収納ケース１０１に所定量の紙葉類が収納されると、制御部４０２からの制御信号によりケース循環路８１１が動作して、図２７に示すように、まず、区画Ａ内の区分済の紙葉類収納ケース１０１が空きスペースの区分Ｂに移動し▲１▼、次いで空きスペースとなった区分Ａに区分Ｆの空きケース１０１が移動して▲２▼、区分された紙葉類の収納を直ちに継続する。その間に、空きスペースとなった区分Ｆに区分Ｅの区分済ケース１０１が移動し▲３▼、次いで空きスペースとなった区分Ｅに区分Ｄの区分済紙葉類収納ケース１０１が移動し▲４▼、次いで空きスペースとなった区分Ｄに区分Ｃの区分済ケース１０１が移動し▲５▼、次いで空きスペースとなった区分Ｃに区分Ｂの区分済紙葉類収納ケース１０１が移動し▲６▼、区分Ｂが再び空きスペースとなる。このような循環移動が、区分Ａの紙葉類収納ケース１０１に所定量の紙葉類が集積される毎にケース循環路８１１を介して行われる。そして、最初に区分された紙葉類収納ケース１０１が区分Ｆに到達すると、すなわち５個の紙葉類収納ケース１０１に全て区分済の紙葉類が集積されると、区分Ｆから順番に区分済ケース回収路８１０を通ってケース排出部８１２に至り、ケース排出部８１２から紙葉類取出部８０３の下部に入り、そこからケース搬出装置８０２を通って装置外に排出される。全ての区分済紙葉類収納ケース１０１の搬出が終了すると、再び空ケースがケース区分給排部８０８に供給される。
【００５５】
このように、本実施の形態５の紙葉類分類区分装置によれば、一区分口当り最大５個の紙葉類収納ケース１０１に対して分類区分が可能となり、大量の紙葉類を迅速に処理することができるとともに、奥行の小さくした装置を実現することができる。
【００５６】
（実施の形態６）
図２８は上記実施の形態２ないし５におけるケース循環路５１１、６１１、７１１、８１１の構成を示している。ケース循環路は、ケース区分給排部を構成するフレーム内に組み込まれている。図２８（ａ）は平面図、図２８（ｂ）は部分断面正面図であり、断面略Ｌ字形のフレーム９０１内の底面には、搬送用マイクロモータ９０２が固定されており、その回転軸には駆動ギヤ９０３が固定されている。また、フレーム９０１内の底面に固定された支持板９０４には、軸が回転可能に支持されており、この軸の一端には、駆動ギヤ９０３に噛み合う従動ギヤ９０５が固定され、他端には第１べべルギヤ９０６が固定されている。また、搬送用マイクロモータ９０２の回転軸に直交する方向には、紙葉類収納ケース１０１を移動させるためのケース搬送用ホイール９０７の回転軸が、断面Ｌ字形のホイール支持板９０８に回転可能に支持され、ホイール支持板９０８は、フレーム９０１の底面に固定された支持軸９０９に回転可能に支持されている。ケース搬送用ホイール９０７は、その最上部の位置がフレーム９０１よりも高くなっており、その回転軸の先端部には、第１べべルギヤ９０６に噛み合う第２べべルギヤ９１０が固定されている。第２べべルギヤ９１０に対向する位置のフレーム９０１の側面には、第２べべルギヤ９１０と同軸上に第３べべルギヤ９１１が軸受９１２により回転可能に支持されている。さらに、図２９に示すように、フレーム９０１の搬送用マイクロモータ９０２に対向する位置には、方向転換用マイクロモータ９１３が固定されており、その回転軸には駆動ギヤ９１４が固定されている。また、フレーム９０１内の底面に固定された軸受９１５に回転可能に支持された軸には、一端に駆動ギヤ９１４に噛み合う従動ギヤ９１６が固定され、他端にはウォームギヤ９１７が固定されている。そして、ウォームギヤ９１７には、Ｌ字形のホイール保持板９０８の平面部に形成されたウォームホイール９０８ａが噛み合っている。
【００５７】
次に、このケース循環路の動作について説明する。図２８において、搬送用マイクロモータ９０２が回転すると、その動力が駆動ギヤ９０３および従動ギヤ９０５を通じて第１べべルギヤ９０６に伝えられ、第１べべルギヤ９０６から第２べべルギヤ９１０に伝えられてケース搬送用ホイール９０７が回転し、その上に載置された紙葉類収納ケース１０１が矢印Ａ方向に搬送される。矢印Ａとは直角な矢印Ｂ方向に方向転換する場合は、制御部４０２からの制御信号により図２９の方向転換用マイクロモータ９１３が回転し、その回転力が駆動ギヤ９１４から従動ギヤ９１６を通じてウォームギヤ９１７に伝えられ、ウォームギヤ９１７に噛み合うウォームホイール９０８ａを９０度回転させるので、ケース搬送用ホイール９０７が９０度回転し、その上に載置された紙葉類収納ケース１０１が矢印Ｂ方向に搬送される。
【００５８】
ケース循環路において、紙葉類収納ケース１０１を上下方向に移動させる場合は、制御部４０２からの制御信号により図２９の方向転換用マイクロモータ９１３が回転してケース搬送用ホイール９０７を９０度回転させることにより、対向するフレーム９０１間が空くので、その間を縦方向のフレーム内に内蔵されたエアシリンダによりリフト装置のフォークを駆動して、紙葉類収納ケース１０１を掬い上げることにより上下方向に移動させることができる。なお、紙葉類収納ケース１０１の上下方向への搬送は、縦方向のフレーム中に内蔵された駆動ローラを用いてもよい。また、ケース循環路におけるケース搬送の駆動方法としては、上記のような方法の他に、エアーシリンダ等による直線直動の駆動機構により搬送するようにしてもよい。
【００５９】
（実施の形態７）
図３０は本発明の実施の形態７における紙葉類分類区分装置１０００の構成を示している。本実施の形態７における紙葉類分類区分装置の基本的な構成は、実施の形態２から５のいずれかに記載したものと同様であり、異なるのは区分収納装置４００が円形に構成されていることである。図３０（ａ）において、ケース搬入装置１００１により搬入された空の紙葉類収納ケース１０１は、紙葉類取出部１００３からケース昇降部１００４により適宜上下の階層に振り分けられ、連続するテーパローラ列からなるケース搬送路１００５を通って区分収納装置４００の各区分口１００６に給送される。円形の区分収納装置４００は、その外周側に紙葉類搬送機構４１１が構成され、放射状に並べられた各区分口１００６に対向して紙葉類分離機構４２１が配置されている。また、図３０（ｂ）に示すように、区分収納装置４００の全体は、複数の階層に構成された区分口１００６により構成されている。そして、各階層にケース搬送路１００５が設けられるとともに、各階層は搬入用のケース昇降部１００４と搬出用のケース昇降部１００７により連絡している。
【００６０】
ケース搬入装置１００１により搬入された未区分の紙葉類収納ケース１０１は、紙葉類取出部１００３において繰出装置３００により紙葉類が１枚ずつ送り出され、区分収納装置４００のコード読取部４０１により区分コードが読み取られ、制御部４０２がその区分コードに従って紙葉類搬送機構４１１を駆動制御し、対応する区分口１００６へ紙葉類分岐処理部１００８を適宜用いて各階層に振り分けて紙葉類を搬送する。各区分口１００６では、紙葉類分離機構４２１の分離用フラッパーが作動して、該当する区分口１００６の紙葉類収納ケース１０１にその紙葉類を投函する。当日または所定時間の区分作業が終了すると、制御部４０２からの制御信号によりケース搬送路１００５が作動して、搬出用のケース昇降部１００７に隣接する区分済紙葉類収納ケース１０１から順番にケース昇降部１００７を通って最下段のケース搬出装置１００２へ送られ、ケース搬出装置１００２から装置外に排出される。全ての区分済紙葉類収納ケース１０１の搬出が終了すると、再びケース搬入装置１００１から空ケースが各区分口１００６に供給される。また、最上段のケース搬入装置１００１と最下段のケース搬出装置１００２との間に設けられたケース保留部１００９に保留されていた空ケースも適宜供給される。
【００６１】
このように、本実施の形態７によれば、区分収納装置４００を円形の周回状に構成したので、上記した実施の形態２から５の紙葉類区分装置のような横に長い区分口配置に比べて、装置をよりコンパクトに構成することができる。
【００６２】
本実施の形態７は種々に変更することができる。例えば、図３１に示す紙葉類分類区分装置１０００Ａは、同様に区分収納装置４００が円形の周回状に構成されているが、内側に向けて放射状に並べられた各区分口１００６の内周側に紙葉類搬送機構４１１が構成され、各区分口１００６に対向して紙葉類分離機構４２１が配置されている。したがって、繰出装置３００、コード読取部４０１および紙葉類分岐処理部１００８も内周側に配置されている。このような配置構成とすることにより、紙葉類収納ケース１０１の搬入時に上記例のように最上部の紙葉類搬送機構４１１を乗り越えて紙葉類収納ケース１０１を装置内に搬入する必要がなく、また紙葉類搬送機構４１１の搬送距離も小さくなるので、装置をさらにコンパクトに構成することができる。
【００６３】
また、図３２に示す紙葉類分類区分装置１０００Ｂでは、区分収納装置４００が楕円形の周回状に構成されており、内側に向けて放射状に並べられた各区分口１００６の内周側に紙葉類搬送機構４１１が構成され、各区分口１００６に対向して紙葉類分離機構４２１が配置されている。また図３３に示す紙葉類分類区分装置１０００Ｃでは、区分収納装置４００が矩形の周回状に構成されており、前後２列に配列された矩形のケース区分給排部１０１０の外周側の各区分口１００６に紙葉類搬送機構４１１が構成され、各区分口１００６内の紙葉類収納ケース１０１に紙葉類分離機構５１２により区分済紙葉類が集積され、ケース搬送路１００５によりケースが排出された後、ケース区分給排部１０１０の内周側に待機していた空ケースが外周側の各区分口１００６に給送される。以上の例からも分るように周回状をなしていれば異型も可能である。
【００６４】
（実施の形態８）
図３４は本発明の実施の形態８における紙葉類分類区分装置１１００の構成を示しており、実施の形態７を変更したものである。本実施の形態８における紙葉類分類区分装置１１００では、区分収納装置４００が円形の螺旋状に構成されており、ケース搬入装置１１０１に繋がる最上段からケース搬出装置１１０２に繋がる最下段まで連続してスロープダウンする構造になっている。ケース搬入装置１１０１により搬入された空の紙葉類収納ケース１０１は、紙葉類取出部１１０３からテーパローラ列のケース搬送路１１０５を通って区分収納装置４００の各区分口１００６に給送される。放射状に並べられた各区分口１１０６の内周側に紙葉類搬送機構４１１が構成され、各区分口１１０６に対向して紙葉類分離機構４２１が配置されている。また、ケース搬入装置１１０１の下部には、空ケース搬出装置１１０４が並行して設けられている。
【００６５】
ケース搬入装置１１０１により搬入された未区分の紙葉類収納ケース１０１は、紙葉類取出部１１０３において繰出装置３００により紙葉類が１枚ずつ送り出され、区分収納装置４００のコード読取部４０１により区分コードが読み取られ、制御部４０２がその区分コードに従って紙葉類搬送機構４１１を駆動制御し、対応する区分口へ紙葉類を搬送する。各区分口では、紙葉類分離機構４２１の分離用フラッパーが作動して、該当する区分口の紙葉類収納ケース１０１にその紙葉類を投函する。当日または所定時間の区分作業が終了すると、制御部４０２からの制御信号によりケース搬送路１１０５が作動して、全ての区分済紙葉類収納ケース１０１が最下段のケース搬出装置１１０２へ送られ、ケース搬出装置１１０２から装置外に排出される。全ての区分済紙葉類収納ケース１０１の搬出が終了すると、再びケース搬入装置１１０１から空ケースが各区分口１１０６に供給される。
【００６６】
このように、本実施の形態８によれば、全ての区分口および紙葉類搬送機構が連続配置されるので、紙葉類を分配するための区分分岐処理部および紙葉類収納ケースの上下搬送用の昇降部も不要となり、装置の構造・構成がシンプル化され、装置を一層コンパクト化することにもなる。
【００６７】
（実施の形態９）
図３５は本発明の実施の形態９における紙葉類分類区分装置１２００の構成を示しており、区分収納装置が、紙葉類収納ケース内の紙葉類に対し複数回の区分処理を行うための一対の区分口列を備えた例である。図３５において、紙葉類分類区分装置１２００は、区分収納装置４００が円形の螺旋状に構成されており、最上段のケース搬入装置１２０１に繋がる紙葉類取出部１２０３、１２０４は上下２段になっており、さらに紙葉類取出部１２０３、１２０４に繋がる各区分口１２０５、１２０６は、最下段のケース搬出装置１２０２に至るまで上下一対の２段のスロープダウン構造になっており、それぞれにテーパローラ列からなるケース搬送路１２０７、１２０８が設けられている。これに伴い、紙葉類搬送機構４１１も、上下２段のスロープダウン構造になっており、その途中の各区分口に対向して紙葉類分離機構４１２が配置されている。最下段の最終の区分口と最上段の紙葉類取出部１２０３、１２０４との間は、ケース昇降部１２０９により連結されている。また、ケース搬入装置１２０１の下部には、空ケース搬送装置１２１０が並行して配置されている。
【００６８】
次に、この装置を利用して奇数ソート法により同一の装置内で複数回の分類区分を行う動作について、図３５（ｂ）および図３６を参照して説明する。まず、未区分の紙葉類収納ケース１０１がケース搬入装置１２０１により搬入されて、紙葉類が紙葉類収納ケース１０１から紙葉類取出部１２０３（初回・奇数回目区分時）により押し上げられて紙葉類繰出装置３００により紙葉類が１枚ずつ送り出され、コード読取部４０１で区分コードが読み取られ、上段の各区分口１２０５に対して、初回および奇数回目の分類区分および紙葉類収納処理が行なわれる。この分類区分処理終了後、区分済の紙葉類収納ケース１０１は、最下段からケース昇降部１２０９により上層の紙葉類取出部１２０４（偶数回目、最終回区分時）までリフトアップされ、同様に紙葉類収納ケース１０１から紙葉類が送り出され、偶数回目の分類区分収納処理が各区分口１２０６に対して行われる。そして、次の奇数回目の分類区分収納処理を行う場合は、偶数回目の区分済紙葉類収納ケース１０１をケース昇降部１２０９により上層の紙葉類取出部１２０３までリフトアップする。最終回の分類処理が終了すると、区分済の紙葉類収納ケース１０１は、ケース搬出装置１２０２により装置外に搬出される。
【００６９】
このように、本実施の形態９によれば、区分処理を上下一対の区分口列間で交互に行うことにより、一台の紙葉類区分装置内において基数ソート法による分類区分処理が可能となり、区分口数の少ない小型装置でも多数の区分口を備えたものと同様に大量の紙葉類を処理することができる。なお、紙葉類取り出しによって空になった紙葉類収納ケース１０１は、図３６（ａ）の空ケース搬送路１２１１および空ケース昇降・搬送装置１２１２経由で各区分口１２０５、１２０６へ供給し、次回の分類区分時に再使用することができる。空ケースが余分または不足の場合には、空ケース搬送装置１２１０により外部から空ケースを供給して数量調整を行う。
【００７０】
（実施の形態１０）
図３７は本発明の実施の形態１０における紙葉類分類区分装置１３００の構成を示しており、実施の形態９と同様に、区分収納装置が紙葉類収納ケース内の紙葉類に対し複数回の区分処理を行うための一対の区分口列を備えた例である。図３７において、紙葉類分類区分装置１３００は、区分収納装置４００が直列に構成されており、ケース搬入装置１３０１、ケース排出装置１３０２および紙葉類取出部１３０３の後方にはケース昇降部１３０４が設けられ、これに連続してケース搬送路１３０５、１３０６が前後に配列されている。これらケース搬送路１３０５、１３０６に沿って上下一対の区分口１３０７、１３０８が３層に構成されており、各層の各区分口１３０７、１３０８にも同様なケース搬送路１３０５、１３０６が配列されている。各区分口１３０７、１３０８の前面には紙葉類搬送機構４１１が配置され、各区分口１３０７、１３０８に対向して紙葉類分離機構４１２が配置されている。
【００７１】
動作について説明すると、使用する予定の全ての区分口１３０７、１３０８に対して、空の紙葉類収納ケース１０１をケース搬入装置１３０１、ケース昇降部１３０４およびケース搬送路１３０５、１３０６を使用して供給しておく。未区分の紙葉類収納ケース１０１がケース搬入装置１３０１から搬入されて、紙葉類が紙葉類収納ケース１０１から紙葉類取出部１３０３において押し上げられ、繰出装置３００により紙葉類が１枚ずつ送り出され、繰出装置３００により紙葉類が１枚ずつ送り出され、コード読取部４０１で区分コードが読み取られ、紙葉類分岐処理部１３０９により上層の各区分口１２０７に対して、初回および奇数回目の紙葉類分類区分処理が制御部４０２の基に行われる。この分類区分処理終了後、区分済の紙葉類収納ケース１０１は、後側のケース搬送路１３０６に渡されてケース昇降部１３０４まで運ばれ、再び紙葉類取出部１３０３において紙葉類繰出装置３００により紙葉類を１枚ずつ送り出し、コード読取部４０１で区分コードを読み取り、紙葉類分岐処理部１３０９により上層の各区分口１２０８に対して、偶数回目の紙葉類分類区分処理が行なわれる。そして、次の分類区分処理を行う場合は、同様にして紙葉類分岐処理部１３０９により中層の各区分口１３０７に対して奇数回目の紙葉類分類区分処理が行なわれ、さらに中層の各区分口１３０８に対して偶数回目の紙葉類分類区分処理が行われる。この間に、上層の各区分口１３０７、１３０８に対して別のグループの紙葉類分類区分処理を開始させる。下層の各区分口１３０７、１３０８における最終回の分類処理が終了すると、区分済の紙葉類収納ケース１０１は、後側のケース搬送路１３０６からケース昇降部１３０４を通ってケース搬出装置１３０２から装置外に搬出される。
【００７２】
このように、本実施の形態１０によれば、区分処理を上下一対の区分口列間で交互に行うことにより、一台の紙葉類区分装置内において基数ソート法による分類区分処理が可能となり、区分口数の少ない小型装置でも多数の区分口を備えたものと同様に大量の紙葉類を処理することができる。なお、分類区分口を上層、下層の２層とすることもできるが、上記のように３層構成とした場合、上層と中層の間で２回目の基数法による分類区分を行い、中層と下層の間で３回目の分類区分開始の時点で、上層において別のグループの紙葉類分類を開始させることもでき、連続で数次の処理をさせるようにし、午前、午後のグループ分けの処理を行わせることも可能となる。
【００７３】
（実施の形態１１）
図３８は本発明の実施の形態１１における紙葉類分類区分装置１４００の構成を示しており、区分済の紙葉類収納ケース１０１または空になった紙葉類収納ケース１０１を一時保管するためのケースストック部１４０９を備えた例である。図３８において、紙葉類分類区分装置１４００は、区分収納装置４００が、複数の層に渡って放射状に並べられてた各区分口１４０６により円形の周回状に構成されており、各区分口１４００６の内周側に紙葉類搬送機構４１１が構成され、各区分口１４０６に対向して紙葉類分離機構４２１が配置されている。また、各階層にはケース搬送路１４０５が設けられるとともに、各階層は搬入用のケース昇降部１４０４と搬出用のケース昇降部１４０７により連絡している。一方、ケースストック部１４０９は、区分収納装置４００と同様な大きさおよび構造を有し、同じ数の区分口１４１０および階層と、各層に設けられたケース搬送路１４１１とを備え、各階層はそれぞれケース搬送路１４１２、１４１３により区分収納装置４００の各階層と連結されている。
【００７４】
動作について説明すると、ケース搬入装置１４０１により横向きに搬入された未区分の紙葉類収納ケース１０１は、ケース搬送路１４１３から紙葉類取出部１４０３に入り、繰出装置３００により紙葉類が１枚ずつ送り出され、区分収納装置４００のコード読取部４０１により区分コードが読み取られ、制御部４０２がその区分コードに従って紙葉類搬送機構４１１を駆動制御し、対応する区分口１４０６へ紙葉類分岐処理部１４０８を適宜用いて各階層に振り分けて紙葉類を搬送する。各区分口１４０６では、紙葉類分離機構４２１の分離用フラッパーが作動して、該当する区分口１４０６内の空の紙葉類収納ケース１０１にその紙葉類を投函する。１回目の分類区分処理が終了すると、制御部４０２からの制御信号により各階層のケース搬送路１４０５が作動して、その階層の各区分口内の紙葉類収納ケース１０１をケース搬送路１４１２を通じて順番にケースストック部１４０９の同じ階層の各区分口１４１０に給送する。その間に区分収納装置４００内の空いた各区分口１４０６には空の紙葉類収納ケース１０１が給送される。全ての区分済の紙葉類収納ケース１０１のケースストック部１４０９への給送が終了すると、今度は逆にケースストック部１４０９からケース搬送路１４１３を通じて区分済の紙葉類収納ケース１０１が区分収納装置４００へ送られ、それぞれ紙葉類取出部１４０３において紙葉類の取り出しが行われ、同様な処理が繰り返される。所定回数の分類区分処理が終了すると、ケース昇降部１４０７からケース搬出装置１４０２を通じて区分済の紙葉類収納ケース１０１が装置外に搬出される。
【００７５】
別の使用方法としては、区分収納装置４００のある階層のある区分口１４０６の紙葉類収納ケース１０１が満杯になった場合に、一旦その階層内の全ての区分口１４０６内の紙葉類収納ケース１０１をケースストック部１４０９に順番に移した後、今度はケースストック部１４０９から先入れ先出しの順番で区分収納装置４００の各区分口１４０６に移送し、途中で上記した満杯の紙葉類収納ケース１０１が収容されていた区分口の順番がきたときに、空の紙葉類収納ケース１０１を供給し、続いて後続の紙葉類収納ケース１０１を移送する。これにより、特定区分口に紙葉類数が集中した場合にも対応することができる。
【００７６】
このように、本実施の形態１１によれば、区分済の紙葉類収納ケースまたは空になった紙葉類収納ケースを一時保管するためのケースストック部１４０９を備え、このケースストック部１４０９に一時保管された紙葉類収納ケースをその区分コードまたは搬送順序の整合性を保持して再度区分収納装置４００へ戻すようにしたので、区分収納装置４００とケースストック部１４０９との間で紙葉類収納ケースを交互に交換することにより基数ソート法による区分処理を行うことができ、さらに特定区分口に紙葉類数が集中した場合にも対応することができる。
【００７７】
（実施の形態１２）
図３９は本発明の実施の形態１２における紙葉類分類区分装置１５００の構成を示しており、実施の形態１１の変更例である。図３９において、紙葉類分類区分装置１５００は、区分収納装置４００が直列に構成されており、ケース搬入装置１５０１、ケース排出装置１５０２および紙葉類取出部１５０３に連続してケース搬入用のケース昇降部１５０４が設けられ、これに連続してケース搬送路１５０５が配置されている。また、ケース搬送路１５０５に並行にケース搬送路１５０６が配置され、これに連続してケース排出用のケース昇降部１５１６が配置されている。これらケース搬送路１５０５、１５０６に沿って区分口１５０７と、これに連続して搬送ローラにより空ケースを各区分口１５０７に移動させる空ケース待機部１５０８が複数層に構成されている。各層の各区分口１５０７および空ケース待機部１５０８にも同様なケース搬送路１５０５、１５０６が配置されている。各区分口１５０７の前面には紙葉類搬送機構４１１が配置され、各区分口１５０７に対向して紙葉類分離機構４１２が配置されている。一方、ケースストック部１５０９は、区分収納装置４００と同様な大きさおよび階層構造を有し、同じ数の区分口１５１０およびケース待機部１５１１と、各層に設けられたケース搬送路１５１２、１５１３とを備え、各階層はそれぞれ両側部に設けられたケース搬送路１５１４、１５１５により区分収納装置４００の各階層と連結されている。
【００７８】
動作について説明すると、ケース搬入装置１５０１により搬入された未区分の紙葉類収納ケース１０１は、紙葉類取出部１５０３には入り、上記した繰出装置３００により紙葉類が１枚ずつ送り出され、区分収納装置４００のコード読取部４０１により区分コードが読み取られ、制御部４０２がその区分コードに従って紙葉類搬送機構４１１を駆動制御し、対応する区分口１５０７へ紙葉類分岐処理部１５１７を適宜用いて各階層に振り分けて紙葉類を搬送する。各区分口１５０７では、紙葉類分離機構４２１の分離用フラッパーが作動して、該当する区分口１５０７内の空の紙葉類収納ケース１０１にその紙葉類を投函する。１回目の分類区分処理が終了すると、制御部４０２からの制御信号により各階層のケース搬送路１５０５が作動して、その階層の各区分口内の紙葉類収納ケース１０１をケース搬送路１５１４を通じて順番にケースストック部１５０９の同じ階層の各区分口１５１０に給送する。その間に区分収納装置４００内の空ケース待機部１５０６に待機していた空の紙葉類収納ケース１０１が対応する区分口１５０５に給送される。その間に外部からケース搬入装置１５０１およびケース搬送路１５１５、１５１３を通じて、空のケースがケースストック部１５０９の空ケース待機部１５１１に給送される。全ての区分済の紙葉類収納ケース１０１のケースストック部１５０９への給送が終了すると、今度は逆にケースストック部１５０９からケース搬送路１５１５を通じて区分済の紙葉類収納ケース１０１が区分収納装置４００へ送られ、それぞれ紙葉類取出部１５０３において紙葉類の取り出しが行われ、同様な処理が繰り返される。所定回数の分類区分処理が終了すると、ケース昇降部１５１６からケース搬出装置１５０２を通じて区分済の紙葉類収納ケース１０１が装置外に搬出される。
【００７９】
別の使用方法としては、区分収納装置４００のある階層のある区分口１５０７の紙葉類収納ケース１０１が満杯になった場合に、一旦その階層内の全ての区分口１５０７内の紙葉類収納ケース１０１をケースストック部１５０９に順番に移した後、今度はケースストック部１５０９から先入れ先出しの順番で区分収納装置４００の各区分口１５０７に移送し、途中で上記した満杯の紙葉類収納ケース１０１が収容されていた区分口の順番がきたときに、空ケース待機部１５０８から空の紙葉類収納ケース１０１を供給し、続いて後続の紙葉類収納ケース１０１を移送する。これにより、特定区分口に紙葉類数が集中した場合にも対応することができる。
【００８０】
このように、本実施の形態１２によれば、区分済の紙葉類収納ケースまたは空になった紙葉類収納ケースを一時保管するためのケースストック部１５０９を備え、このケースストック部１５０９に一時保管された紙葉類収納ケースをその区分コードまたは搬送順序の整合性を保持して再度区分収納装置４００へ戻すようにしたので、区分収納装置４００とケースストック部１５０９との間で紙葉類収納ケースを交互に交換することにより基数ソート法による区分処理を行うことができ、さらに特定区分口に紙葉類数が集中した場合にも対応することができる。また、区分収納装置４００とケースストック部１５０９とにそれぞれ空ケース待機部１５０８、１５１１を設けたので、空ケースの補充を迅速に行うことができる。
【００８１】
（実施の形態１３）
図４０は本発明の実施の形態１３における紙葉類分類区分装置１６００の構成を示しており、区分収納装置４００が、各口区分口を覆う透視可能で鍵付き開閉可能な扉を備えた例である。図４０において、紙葉類分類区分装置１６００は、図２４に示した実施の形態４の紙葉分類区分装置７００と同様であるが、異なるのは、区分収納装置４００の隣接する複数（ここでは３個）の区分口７０８ａをまとめて、その前面の紙葉類搬送機構４１１および紙葉類分離機構４２２の外側から開閉可能な扉１６０１を備えていることである。また、これら区分口７０９ａの後部区画にも同様な扉１６０２を備え、操出装置３００、コード読取部４０１、区分済ケース排出部７１１の前面およびこれらに対応する後部にも同様な扉１６０１、１６０２が設けられている。各扉１６０１、１６０２は、それぞれフレーム１６０３、１６０６に透明なガラス板（または樹脂板）１６０４、１６０７を嵌めたものであり、それぞれ鍵１６０５、１６０８を備えている。このような扉１６０１、１６０２を備えることにより、装置内部に収納された紙葉類に対するセキュリティ保護と装置のメンテナンスとを容易に行うことができる。
【００８２】
（実施の形態１４）
図４１は本発明の実施の形態１４における紙葉類分類区分装置１７００の構成を示しており、区分収納装置４００が、各口区分口を覆う透視可能で鍵付き開閉可能な扉を備えた例である。図４１において、紙葉類分類区分装置１７００は、図３０に示した実施の形態７の紙葉分類区分装置１０００と同様であるが、異なるのは、区分収納装置４００の円形の周回状に配列された各区分口１００６の内側に空ケース待機部１０１０を備えていることと、隣接する複数（ここでは２個）の区分口１００６をまとめて、その前面の紙葉類搬送機構４１１および紙葉類分離機構４２２の外側から開閉可能な扉１７０１を備えていることである。各扉１７０１は、それぞれフレーム１７０２に透明なガラス板（または樹脂板）１７０３を嵌めたものであり、それぞれ鍵１７０４を備えている。このような扉１７０１を備えることにより、装置内部に収納された紙葉類に対するセキュリティ保護と装置のメンテナンスとを容易に行うことができる。
【００８３】
（実施の形態１５）
図４２は本発明の実施の形態１５における紙葉類分類区分装置１８００の構成を示しており、実施の形態１４の変更例である。図４２において、紙葉類分類区分装置１８００は、区分収納装置４００の隣接する複数（ここでは２個）の区分口１００６をまとめて、その前面に開閉可能な扉１８０１を備えており、各扉１８０１は、それぞれフレーム１８０２に透明なガラス板（または樹脂板）１８０３を嵌めたものであり、それぞれ鍵１８０４を備えている。また、図４３に示すように、ヒンジ１８０５により区分収納装置４００に開閉可能に連結された各扉１８０１は、その裏面に紙葉類搬送機構４１１および紙葉類分離機構４２２を備えている。このように、扉１８０１に紙葉類搬送機構４１１および紙葉類分離機構４２２を備えることにより、装置内部および紙葉類搬送機構４１１、紙葉類分離機構４２２等のメンテナンスを容易に行うことができる。
【００８４】
（実施の形態１６）
図４４は実施の形態１５の変更例を示しており、図４５はその詳細を示している。図４５において、扉１８１１は、ガラス板１８０３とその内側に並行に配置された噴射板１８１２との間にエアチャンバ１８１３が形成されている。噴射板１８１２には多数の微小孔１８１２ａが形成されて、エアチャンバ１８１３を流れる空気流１８１４が微小孔１８１２ａから噴出して、噴射板１８１２の内側に配置された複数の羽根車１８１５を高速回転させる。したがって、噴射板１８１２と羽根車１８５との間で搬送されてきた紙葉類１００は、支持軸１８１６により回動可能に支持された分離用フラッパー１８１７を分離位置へ移動させるとともに、補助ローラ１８１８を回転させることにより、紙葉類収納ケース１０１内に投函口１０３から投函される。このようなベルトレスの搬送、分離機構により、摩擦抵抗の少ない機構を実現できるので、補助ローラ１８１８を回転させるために出力の小さなモータを使用することができる。
【００８５】
（実施の形態１７）
図４６は実施の形態１７における扉の構造を図４０に示した区分収納装置４００に応用した紙葉類分類区分装置１９００の例である。各区分口７０８ａの前面に配置された各扉１９０１は、その裏面に紙葉類搬送機構４１１および紙葉類分離機構４２２を備えている。扉１９０１の作用効果は上記実施の形態１６と同様である。
【００８６】
【発明の効果】
以上説明したように、本発明は、同規格の紙葉類収納ケースを用いることにより、紙葉類分類区分装置に紙葉類を供給する作業も紙葉類を紙葉類収納ケースに収納したままでよく、また配送する場合にも紙葉類分類区分装置により区分された紙葉類を収容した紙葉類収納ケースのままの状態で送出すればよく、さらに配達の場合も紙葉類収納ケースのままの状態で配達員に引き継ぐことができ、郵便物等の紙葉類の取集から分類区分、収納、配達までの全ての工程を円滑に行うことができ、紙葉類分類区分装置における処理を省力化および自動化することができる。
【図面の簡単な説明】
【図１】本発明の実施の形態１における紙葉類集配システムの概要を示す模式図
【図２】本発明の実施の形態１における配送区分装置の概要を示す模式図
【図３】本発明の実施の形態１における配達区分装置の概要を示す模式図
【図４】本発明の実施の形態１における紙葉類収納ケースの概要を示す斜視図
【図５】（ａ）本発明の実施の形態１における紙葉類収納ケースの部分平面図
（ｂ）（ａ）の矢視Ａ−Ａ方向に見た紙葉類収納ケースの横断面図
【図６】（ａ）本発明の実施の形態１における紙葉類収納ケースの縦断面図
（ｂ）本発明の実施の形態１における紙葉類収納ケースの横断面図
【図７】本発明の実施の形態１における別の紙葉類収納ケースの斜視図
【図８】（ａ）本発明の実施の形態１における別の紙葉類収納ケースの拡大部分平面図
（ｂ）（ａ）の矢視Ａ−Ａ方向に見た紙葉類収納ケースの横断面図
【図９】（ａ）本発明の実施の形態１における別の紙葉類収納ケースの縦断面図
（ｂ）本発明の実施の形態１における別の紙葉類収納ケースの斜視図
【図１０】（ａ）本発明の実施の形態１における紙葉類収納ケース封緘方法を示す断面図
（ｂ）本発明の実施の形態１における紙葉類収納ケース封緘方法を示す断面図
（ｃ）本発明の実施の形態１における紙葉類収納ケース封緘方法を示す断面図
【図１１】本発明の実施の形態１における紙葉類収納ケースの封緘止め具を示す斜視図
【図１２】本発明の実施の形態１における別の紙葉類収納ケースの斜視図
【図１３】本発明の実施の形態１における紙葉類分類区分装置の概略を示す平面図
【図１４】本発明の実施の形態１における操出装置の概略を示す斜視図
【図１５】（ａ）本発明の実施の形態１における押上機構の概略を示す断面図
（ｂ）本発明の実施の形態１における押上機構の概略を示す断面図
【図１６】本発明の実施の形態１における紙葉類搬送機構および紙葉類分離機構の概略を示す平面図
【図１７】本発明の実施の形態２における紙葉類分類区分装置の概略を示す平面図
【図１８】本発明の実施の形態２における紙葉類分類区分装置の概略を示す正面図
【図１９】本発明の実施の形態２における紙葉類分類区分装置の概略を示す側面図
【図２０】（ａ）図１７および図１８のＡ−Ａ線に沿う断面側面図
（ｂ）図１７および図１８のＢ−Ｂ線に沿う断面側面図
（ｃ）図１７および図１８のＣ−Ｃ線に沿う断面側面図
【図２１】本発明の実施の形態２における紙葉類収納ケースの移動順序を示す模式図
【図２２】本発明の実施の形態３における紙葉類分類区分装置の概略を示す斜視図
【図２３】本発明の実施の形態３における紙葉類収納ケースの移動順序を示す模式図
【図２４】本発明の実施の形態４における紙葉類分類区分装置の概略を示す平面図
【図２５】本発明の実施の形態４における紙葉類収納ケースの移動順序を示す模式図
【図２６】本発明の実施の形態５における紙葉類分類区分装置の概略を示す斜視図
【図２７】本発明の実施の形態５における紙葉類収納ケースの移動順序を示す模式図
【図２８】（ａ）本発明の実施の形態６におけるケース循環路の概略を示す平面図
（ｂ）（ａ）の正面断面図
【図２９】（ａ）本発明の実施の形態６におけるケース循環路の概略を示す別の平面図
（ｂ）（ａ）の正面断面図
【図３０】（ａ）本発明の実施の形態７における紙葉類分類区分装置の概略を示す平面図
（ｂ）本発明の実施の形態７における紙葉類分類区分装置の概略を示す正面図
【図３１】（ａ）本発明の実施の形態７における別の紙葉類分類区分装置の概略を示す平面図
（ｂ）本発明の実施の形態７における別の紙葉類分類区分装置の概略を示す正面図
【図３２】本発明の実施の形態７におけるさらに別の紙葉類分類区分装置の概略を示す平面図
【図３３】本発明の実施の形態７におけるさらに別の紙葉類分類区分装置の概略を示す平面図
【図３４】（ａ）本発明の実施の形態８における紙葉類分類区分装置の概略を示す平面図
（ｂ）本発明の実施の形態８における紙葉類分類区分装置の概略を示す正面図
【図３５】（ａ）本発明の実施の形態９における紙葉類分類区分装置の概略を示す正面図
（ｂ）本発明の実施の形態９における紙葉類分類区分装置の動作の概略を示す模式図
【図３６】（ａ）本発明の実施の形態９における紙葉類分類区分装置の動作を示す部分平面図
（ｂ）本発明の実施の形態９における紙葉類分類区分装置の動作を示す（ａ）の矢視Ａ−Ａ方向の展開図
【図３７】本発明の実施の形態１０における紙葉類分類区分装置の概略を示す斜視図
【図３８】（ａ）本発明の実施の形態１１における紙葉類分類区分装置の概略を示す平面図
（ｂ）本発明の実施の形態１１における紙葉類分類区分装置の概略を示す正面図
【図３９】本発明の実施の形態１２における紙葉類分類区分装置の概略を示す平面図
【図４０】（ａ）本発明の実施の形態１３における紙葉類分類区分装置の概略を示す平面図
（ｂ）本発明の実施の形態１３における紙葉類分類区分装置の概略を示す正面図
【図４１】（ａ）本発明の実施の形態１４における紙葉類分類区分装置の概略を示す平面図
（ｂ）本発明の実施の形態１４における紙葉類分類区分装置の概略を示す正面図
【図４２】（ａ）本発明の実施の形態１５における紙葉類分類区分装置の概略を示す平面図
（ｂ）本発明の実施の形態１５における紙葉類分類区分装置の概略を示す正面図
【図４３】本発明の実施の形態１５における扉の詳細を示す概略断面平面図
【図４４】本発明の実施の形態１６における扉の詳細を示す概略断面平面図
【図４５】本発明の実施の形態１６における扉の概略断面拡大平面図
【図４６】（ａ）本発明の実施の形態１７における紙葉類分類区分装置の概略を示す平面図
（ｂ）本発明の実施の形態１７における紙葉類分類区分装置の概略を示す正面図
【符号の説明】
１００  紙葉類
１０１  紙葉類収納ケース
１０２  ケース
１０３  投函口
１０４  扉
１０５  押え板
１０６  押し上げ板
１０７  扉保持板
１０８  板ばね
１０９  逃げ穴
１１０  天蓋
１１１  止め具
２０１  取集員
２０２  郵便ポスト
２０３  受付局・受付店舗
２０４  取集便トラック
２０５  配送営業所
２０６  搬入コンベア
２０７  配送区分装置
２０８  送出コンベア
２０９  配送便トラック
２１０  配達営業所
２１１  搬入コンベア
２１２  配達区分・道順組立装置
２１３  送出コンベア
２１４  配達員
２１５  配達便バイク
２１６  配達先宅
２１７、２１９  ケースストック部
２１８、２２０  搬送コンベア
３００  操出装置
３０１  押上装置
３１１  操出機構
３２１  搬送機構
４００  区分収納装置
４０１  コード読取部
４０２  制御部
４１１  紙葉類搬送機構
４２１  紙葉類分離機構
４３１  ＲＦＩＤ記録部
５００、６００、７００、８００  紙葉類分類区分装置
５０１、６０１、７０１、８０１  ケース搬入装置
５０２、６００、７００、８００  ケース搬出装置
５０３、６０３、７０３、８０３  紙葉類取出部
５０４、６０４、７０４、８０４  ケース昇降部
５０５、６０５、７０５、８０５  ケース排出部
５０６、６０６、７０６、８０６  空ケース給送部
５０７、６０７、７０７、８０７  ケース昇降部
５０８、６０８、７０８、８０８  ケース区分給排部
５０８ａ、６００ａ、７００ａ、８００ａ  区分口
５０９、６０９、７０９、８０９  空ケース供給路
５１０、６１０、７１０、８１０  区分済ケース回収路
５１１、６１１、７１１、８１１  ケース循環路
５１２、６１２、７１２、８１２  区分済ケース排出部
５１３、６１３  ベッド
５１４、６１４  紙葉類分岐処理部
９０１  フレーム
９０２  搬送用マイクロモータ
９０３  駆動ギヤ
９０４  支持板
９０５  従動ギヤ
９０６  第１べべルギヤ
９０７  ケース搬送用ホイール
９０８  ホイール支持板
９０８ａ  ウォームホイール
９０９  支持軸
９１０  第２べべルギヤ
９１１  第３べべルギヤ
９１２  軸受
９１３  方向転換用マイクロモータ
９１４  駆動ギヤ
９１５  軸受
９１６  従動ギヤ
９１７  ウォームギヤ
１０００、１０００Ａ、１０００Ｂ、１１００、１２００、１３００、１４００、１５００、１６００、  １７００、１８００、１９００  紙葉類分類区分装置
１００１、１１０１、１２０１、１３０１、１４０１、１５０１  ケース搬入装置
１００２、１１０２、１２０２、１３０２、１４０２、１５０２  ケース搬出装置
１００３、１１０３、１２０３、１２０４、１３０３、１４０３、１５０３  紙葉類取出部
１００４  ケース昇降部
１００５  ケース搬送路
１００６  区分口
１００７  ケース昇降部
１００８  紙葉類分岐処理部
１００９  ケース保留部
１１０４  空ケース搬出装置
１１０５  ケース搬送路
１１０６  区分口
１２０５、１２０６  区分口
１２０７、１２０８  ケース搬送路
１２０９  ケース昇降部
１２１０  空ケース搬出装置
１２１１  空ケース搬送路
１２１２  空ケース昇降・搬送装置
１３０４  ケース昇降部
１３０５、１３０６  ケース搬送路
１３０７、１３０８  区分口
１３０９  紙葉類分岐処理部
１４０４  ケース昇降部
１４０５  ケース搬送路
１４０６  区分口
１４０７  ケース昇降部
１４０８  紙葉類分岐処理部
１４０９  ケースストック部
１４１０  区分口
１４１１、１４１２、１４１３  ケース搬送路
１５０４  ケース昇降部
１５０５、１５０６  ケース搬送路
１５０７  区分口
１５０８  空ケース待機部
１５０９  ケースストック部
１５１０  区分口
１５１１  ケース待機部
１５１２、１５１３、１５１４、１４１５  ケース搬送路
１６０１、１６０２、１７０１、１８０１、１９０１  扉
１６０３、１６０６、１７０２、１８０２  フレーム
１６０４、１６０７、１７０３、１８０３  ガラス
１６０５、１６０８、１７０４、１８０４  鍵
【図１】
0003808363.tif 000002
【図２】
0003808363.tif 000003
【図３】
0003808363.tif 000004
【図４】
0003808363.tif 000005
【図５】
0003808363.tif 000006
【図６】
0003808363.tif 000007
【図７】
0003808363.tif 000008
【図８】
0003808363.tif 000009
【図９】
0003808363.tif 000010
【図１０】
0003808363.tif 000011
【図１１】
0003808363.tif 000012
【図１２】
0003808363.tif 000013
【図１３】
0003808363.tif 000014
【図１４】
0003808363.tif 000015
【図１５】
0003808363.tif 000016
【図１６】
0003808363.tif 000017
【図１７】
0003808363.tif 000018
【図１８】
0003808363.tif 000019
【図１９】
0003808363.tif 000020
【図２０】
0003808363.tif 000021
【図２１】
0003808363.tif 000022
【図２２】
0003808363.tif 000023
【図２３】
0003808363.tif 000024
【図２４】
0003808363.tif 000025
【図２５】
0003808363.tif 000026
【図２６】
0003808363.tif 000027
【図２７】
0003808363.tif 000028
【図２８】
0003808363.tif 000029
【図２９】
0003808363.tif 000030
【図３０】
0003808363.tif 000031
【図３１】
0003808363.tif 000032
【図３２】
0003808363.tif 000033
【図３３】
0003808363.tif 000034
【図３４】
0003808363.tif 000035
【図３５】
0003808363.tif 000036
【図３６】
0003808363.tif 000037
【図３７】
0003808363.tif 000038
【図３８】
0003808363.tif 000039
【図３９】
0003808363.tif 000040
【図４０】
0003808363.tif 000041
【図４１】
0003808363.tif 000042
【図４２】
0003808363.tif 000043
【図４３】
0003808363.tif 000044
【図４４】
0003808363.tif 000045
【図４５】
0003808363.tif 000046
【図４６】
0003808363.tif 000047